(57)【特許請求の範囲】
【請求項１】
照明機器を制御する照明制御装置と；
前記照明制御装置における前記照明機器への操作に基づく操作情報と、前記照明制御装置の設定情報とを保存する外部端末と；
前記外部端末から前記照明制御装置の設定情報を受信する他の照明制御装置と；
を具備することを特徴とする照明システム。
【請求項２】
前記外部端末は、前記操作情報として、段階的な前記照明機器の状態の制御において操作される操作部への操作に関する情報を保存する
ことを特徴とする請求項１に記載の照明システム。
【請求項３】
前記照明制御装置は、前記外部端末から取得した前記操作情報に基づいて前記照明機器への操作を再現する
ことを特徴とする請求項１または請求項２に記載の照明システム。
【請求項４】
前記照明制御装置は、前記操作を行うユーザを認証し、認証後のユーザの前記操作を受け付け、
前記外部端末は、前記認証後のユーザ毎に前記操作情報を保存する
ことを特徴とする請求項１〜３のいずれか１項に記載の照明システム。
【請求項５】
前記外部端末は、前記認証後のユーザに前記操作情報に基づいて当該ユーザの操作に関する学習し、
前記照明制御装置は、前記外部端末から前記認証後のユーザに対応する学習結果に関する情報を取得する
ことを特徴とする請求項４に記載の照明システム。
【発明の詳細な説明】
【技術分野】
【０００１】
本発明の実施形態は、照明システムに関する。
【背景技術】
【０００２】
従来、スタジオや舞台等では、複数の照明機器により照明演出がなされている。このような照明演出を行う照明システムでは、照明機器を制御する照明制御装置における操作に関する操作情報が照明制御装置に記憶される場合がある。
【先行技術文献】
【特許文献】
【０００３】
【特許文献１】特開２００７−２６５７６５号公報
【特許文献２】特開２０１２−０６９４２３号公報
【発明の概要】
【発明が解決しようとする課題】
【０００４】
しかしながら、上述した照明システムにおいては、照明制御装置の制約等により、照明制御装置における操作情報を適切に管理することが難しいという課題がある。例えば、照明制御装置の記憶容量の制約により、十分な操作情報が記憶できない場合がある。
【０００５】
本発明は、照明制御装置における操作情報を適切に管理する照明システムを提供することを目的とする。
【課題を解決するための手段】
【０００６】
本実施形態の照明システムは、照明制御装置と、外部サーバとを具備する。照明制御装置は、照明機器を制御する。外部サーバは、照明制御装置における照明機器への操作に基づく操作情報を保存する。
【発明の効果】
【０００７】
本発明によれば、照明制御装置における操作情報を適切に管理することができる。
【図面の簡単な説明】
【０００８】
【図１】図１は、実施形態に係る照明システムを示す図である。
【図２】図２は、実施形態に係る照明システムを示す図である。
【図３】図３は、実施形態に係る照明制御装置の構成を示す図である。
【図４】図４は、実施形態に係る操作部情報記憶部に記憶される情報の一例を示す図である。
【図５】図５は、実施形態に係る調光情報記憶部に記憶される情報の一例を示す図である。
【図６】図６は、実施形態に係るクラウドサーバの構成を示す図である。
【図７】図７は、実施形態に係る操作履歴情報記憶部に記憶される情報の一例を示す図である。
【図８】図８は、実施形態に係る照明機器の調光の再現の一例を示すシーケンス図である。
【図９】図９は、変形例に係る照明システムを示す図である。
【図１０】図１０は、変形例に係る照明制御装置の構成を示す図である。
【図１１】図１１は、変形例に係るクラウドサーバの構成を示す図である。
【図１２】図１２は、変形例に係る操作履歴情報記憶部に記憶される情報の一例を示す図である。
【発明を実施するための形態】
【０００９】
以下で説明する実施形態及び変形例に係る照明システム１、１Ａは、照明機器１０を制御する照明制御装置３０、３０Ａと、照明制御装置３０、３０Ａにおける照明機器１０への操作に基づく操作情報を保存する外部サーバ（実施形態及び変形例においては「クラウドサーバ７０、７０Ａ」）とを具備する。
【００１０】
また、以下で説明する実施形態及び変形例に係る照明システム１、１Ａにおいて、外部サーバは、操作情報として、段階的な照明機器１０の状態の制御において操作される操作部への操作に関する情報を保存する。
【００１１】
また、以下で説明する実施形態及び変形例に係る照明システム１、１Ａにおいて、照明制御装置３０、３０Ａは、外部サーバから取得した操作情報に基づいて照明機器１０への操作を再現する。
【００１２】
また、以下で説明する変形例に係る照明システム１Ａにおいて、照明制御装置３０Ａは、操作を行うユーザを認証し、認証後のユーザの操作を受け付ける。外部サーバは、認証後のユーザ毎に操作情報を保存する。
【００１３】
また、以下で説明する変形例に係る照明システム１Ａにおいて、外部サーバは、認証後のユーザに操作情報に基づいて当該ユーザの操作に関する学習する。照明制御装置３０Ａは、外部サーバから認証後のユーザに対応する学習結果に関する情報を取得する。
【００１４】
［実施形態］
まず、本発明の実施形態に係る照明システム１を図面に基づいて説明する。図１及び図２は、実施形態に係る照明システムを示す図である。具体的には、図１では、照明システム１において、照明制御装置３０において所定の操作者ＯＰ１が行った操作に関する操作情報を収集し、外部サーバであるクラウドサーバ７０に保存する例を示す。また、図２は、照明システム１において、クラウドサーバ７０から操作履歴情報（以下、「履歴情報」とする）を取得した照明制御装置３０において、履歴情報に基づく調光を再現する例を示す。
【００１５】
［照明システムの構成］
照明システム１は、第１照明機器１０Ａと、第２照明機器１０Ｂと、ノード２０と、照明制御装置３０と、調光盤４０と、監視装置５０と、端末装置６０と、クラウドサーバ７０とを具備する。以下では、第１照明機器１０Ａと第２照明機器１０Ｂについて、特に区別なく説明する場合には、照明機器１０と記載する。
【００１６】
また、図１に示す照明システム１において、ノード２０と、照明制御装置３０と、調光盤４０と、監視装置５０とは、例えばイーサネット（登録商標）等による所定のネットワークＮＴ１により通信可能に接続されるものとする。なお、ネットワークＮＴ１は、照明システム１の導入先となるスタジオや劇場等の施設で使用されるＬＡＮ（ローカル・エリア・ネットワーク）であってもよいし、インターネットであってもよい。
【００１７】
第１照明機器１０Ａは、例えばＬＥＤ（Light  Emitting  Diodes）等の半導体発光素子を光源とする照明機器１０である。例えば、第１照明機器１０Ａは、バトン（図示省略）等により所定の位置に吊り下げられたり、所定の位置に置かれたりして用いられる。また、例えば、第１照明機器１０Ａは、照明制御装置３０からノード２０を経由して送信される制御情報に従って、明るさ、範囲、色彩等を変化させることで、スタジオや舞台等の照明演出を行う。また、第１照明機器１０Ａは、所定の通信プロトコル、例えばＤＭＸ規格に従った通信プロトコルや、ＤＭＸを拡張したＲＤＭ（Remote  Device  Management）規格に沿った通信方式ＬＮ１により、ノード２０と双方向通信が可能である。
【００１８】
第２照明機器１０Ｂは、例えばハロゲンランプ等を光源とする照明機器１０である。例えば、第２照明機器１０Ｂは、バトン等により所定の位置に吊り下げられたり、所定の位置に置かれたりして用いられる。
【００１９】
ノード２０は、例えばＤＭＸノードやＲＤＭノードと称され、第１照明機器１０Ａを接続する装置である。すなわち、ノード２０は、所定の通信プロトコル、例えばＤＭＸ規格に従った通信プロトコルや、ＤＭＸを拡張したＲＤＭ規格に沿った通信方式により、第１照明機器１０Ａと双方向通信が可能である。また、ノード２０は、照明制御装置３０と双方向通信が可能である。また、ノード２０は、ＤＭＸ規格やＲＤＭ規格等に従って、照明制御装置３０から送信される制御情報を第１照明機器１０Ａに送信する。
【００２０】
照明制御装置３０は、各照明機器１０に対して制御を行う操作者による操作を受付ける。例えば、照明制御装置３０は、調光卓と称される装置である。照明制御装置３０は、操作者による操作等に応じて、各照明機器１０の調光等を制御する情報（信号）をノード２０や調光盤４０に送信する。
【００２１】
調光盤４０は、所定の送電ケーブルＬＮ２により第２照明機器１０Ｂに電力を供給する。また、調光盤４０は、位相制御式の調光制御方式により第２照明機器１０Ｂの調光を制御する。例えば、調光盤４０は、照明制御装置３０から制御内容を示す制御信号（又は、制御情報）を受信すると、制御信号（又は制御情報）に応じて、第２照明機器１０Ｂに供給する電源電圧を変動させることにより、第２照明機器１０Ｂの調光を制御する。例えば、調光盤４０は、照明制御装置３０から制御信報を受信すると、第２照明機器１０Ｂの調光レベルに応じて、各第２照明機器１０Ｂに印加する電圧を、例えば０Ｖ〜１００Ｖで調整して出力する。また、例えば、調光盤４０には各第２照明機器１０Ｂ用の位相制御式の調光器が設けられており、照明制御装置３０からの制御信号に応じた各調光器の制御により、各調光器に対応した第２照明機器１０Ｂが一括して調光制御されてもよい。
【００２２】
監視装置５０は、照明システム１の導入先に設けられ、ノード２０や照明制御装置３０や調光盤４０等の動作を監視する装置である。例えば、監視装置５０は、ノード２０や照明制御装置３０や調光盤４０の動作を監視してもよい。また、照明システム１の導入先における管理者等は、監視装置５０と所定のネットワークＮＴ２により通信可能な端末装置６０により、照明システム１の動作状況を確認してもよい。なお、ネットワークＮＴ１とネットワークＮＴ２とは共通のネットワークであってもよい。
【００２３】
クラウドサーバ７０は、照明システム１の導入先から遠隔にあるサービス提供者側の所定の地点に設けられる装置である。具体的には、クラウドサーバ７０は、照明制御装置３０における照明機器１０への操作に基づく操作情報を保存する外部サーバである。また、クラウドサーバ７０は、監視装置５０と所定のネットワークＮＴ３により双方向通信が可能である。例えば、ネットワークＮＴ３は、専用通信回線や仮想プライベートネットワーク（Virtual  Private  Network）であってもよいし、インターネットであってもよい。また、クラウドサーバ７０は、監視装置５０が収集した情報を取得し保有する。クラウドサーバ７０は、管理端末８０Ａ、及びタブレット端末やスマートフォン等の携帯端末８０Ｂと所定のネットワークＮＴ４により通信可能である。また、サービス提供者側の管理者Ａ１は、管理端末８０Ａや携帯端末８０Ｂ等により、クラウドサーバ７０に収集された情報を確認し管理する。
【００２４】
［照明システムにおける処理例］
まず、図１を用いて照明システム１における照明機器１０の接続関係について説明する。図１に示すように、第１照明機器１０Ａは、電力供給のために用いるプラグＰＧ１１をコンセント装置ＪＣ１１の電力供給用のジャックＰＳ１１に接続する（ステップＳ１１）。これにより、第１照明機器１０Ａには、例えば商用電源ＣＰから電力が供給される。なお、第１照明機器１０Ａには、調光盤４０等から電力が供給されてもよい。また、第１照明機器１０Ａは、情報の送受信のために用いるプラグＰＧ１２をコンセント装置ＪＣ１１の情報送受信用のジャックＪＣ１１−１に接続する（ステップＳ１２）。これにより、第１照明機器１０Ａには、ノード２０を介して照明制御装置３０との情報の送受信が可能となる。
【００２５】
また、第２照明機器１０Ｂは、プラグＰＧ２１をコンセントＣＮ２０−１のジャックＪＣ２１に接続する（ステップＳ１３）。これにより、第２照明機器１０Ｂには、調光盤４０からの電源電圧が供給される。また、コンセントＣＮ２０−１は、ネットワークＮＴ１により照明制御装置３０と情報の送受信が可能であってもよい。例えば、コンセントＣＮ２０−１には、ＮＦＣタグの情報を読み出し可能なＮＦＣリーダライタが設けられてもよい。この場合、コンセントＣＮ２０−１のＮＦＣリーダライタは、プラグＰＧ２１に設けられたＮＦＣタグの情報を読み出して照明制御装置３０へ送信してもよい。なお、図１に示すステップＳ１１〜Ｓ１３は、説明のための順序であり、例えば、ステップＳ１３における第２照明機器１０Ｂの接続は、ステップＳ１１及びＳ１２における第１照明機器１０Ａの接続よりも前に行われてもよい。
【００２６】
また、照明制御装置３０は、操作者ＯＰ１による操作部３４（図３参照）への操作に応じて、ノード２０を経由して制御情報を第１照明機器１０Ａへ送信する（ステップＳ１４）。例えば、照明制御装置３０は、操作者ＯＰ１による操作部３４のフェーダ３４−１（図３参照）への操作に応じた制御情報を第１照明機器１０Ａへ送信する。ノード２０を経由して照明制御装置３０から制御情報を受信した第１照明機器１０Ａは、制御情報に従って、調光を制御する（ステップＳ１５）。具体的には、第１照明機器１０Ａは、制御情報に従って、明るさ、範囲、色彩等を変化させる。
【００２７】
また、照明制御装置３０は、操作者ＯＰ１による操作部３４への操作に応じて、調光盤４０へ第２照明機器１０Ｂを制御するための制御信号を送信する（ステップＳ１６）。例えば、照明制御装置３０は、操作者ＯＰ１による操作部３４のフェーダ３４−２（図３参照）への操作に応じた制御信号を調光盤４０へ送信する。照明制御装置３０から制御信号を受信した調光盤４０は、対応する第２照明機器１０Ｂへ電圧信号を送る（ステップＳ１７）。また、第２照明機器１０Ｂは、調光盤４０からの電圧信号により、調光を制御する（ステップＳ１８）。なお、図１に示すステップＳ１４〜Ｓ１７は、説明のための順序であり、例えば、ステップＳ１６における制御信号の送信は、ステップＳ１４における制御情報の送信よりも前に行われてもよい。
【００２８】
また、照明制御装置３０は、ステップＳ１４〜Ｓ１８において照明機器１０に行った調光制御に関する操作情報をクラウドサーバ７０へ送信する（ステップＳ１９）。例えば、照明制御装置３０は、操作部３４における操作に関するアナログのレベル値等の情報をクラウドサーバ７０へ送信する。なお、上記例においては説明のために、ステップＳ１９において、照明制御装置３０がクラウドサーバ７０へ操作情報を送信する場合を示すが、照明制御装置３０は、操作者ＯＰ１による操作部３４への操作が行わる度に、随時クラウドサーバ７０へ操作情報を送信してもよい。また、照明制御装置３０は、第１照明機器１０Ａや第２照明機器１０Ｂ（コンセントＣＮ２０−１）等から制御結果に関する情報を受信し、その情報も操作情報としてクラウドサーバ７０へ送信してもよい。
【００２９】
ここで、操作情報の内容としては、操作対象となったフェーダやサブマスタ（ＳＭ）等のレベル値、制御対象となる照明機器のＤＭＸアドレス、照明機器に設定された照度や色彩等、操作対象又は制御対象と関連する任意の情報が操作情報としてクラウドサーバ７０へ送信される。また、操作情報には、例えば、シーン、キュー（ＣＵＥ）、サブマスタ（ＳＭ）等、複数の照明装置を同時に制御するための情報が含まれていてもよい。例えば、照明制御装置３０は、操作者ＯＰ０１によって所定のシーンを再現するボタンが押下された場合は、かかるボタンを識別する情報、制御対象となる照明機器のＤＭＸアドレス、各照明機器に対して設定される照明の照度や色彩等を対応付けた調光情報を操作情報としてクラウドサーバ７０へ送信してもよい。また、照明制御装置３０は、操作者ＯＰ０１によってサブマスタフェーダが操作された場合は、サブマスタフェーダのレベル、制御対象となる照明機器のＤＭＸアドレス、各照明機器に対して設定される照明の照度や色彩等を対応付けた調光情報を操作情報としてクラウドサーバ７０へ送信してもよい。すなわち、照明制御装置３０は、シーンやキュー（ＣＵＥ）やサブマスタ（ＳＭ）等を操作した際に複数の照明機器を制御するための調光情報と、フェーダ等の操作対象を示す情報とともにクラウドサーバ７０へ送信してもよい。
【００３０】
照明制御装置３０から操作情報を受信したクラウドサーバ７０は、受信した操作情報を保存する（ステップＳ２０）。これにより、照明システム１は、クラウドサーバ７０に保存された操作情報を操作履歴情報（履歴情報）として読み出し可能となる。
【００３１】
次に、図２を用いて照明システム１における履歴情報に基づく調光の再現について説明する。図２に示すように、照明制御装置３０において、操作者ＯＰ１は、クラウドサーバ７０に履歴情報を要求する（ステップＳ２１）。図２の例では、操作者ＯＰ１は、クラウドサーバ７０にステップＳ１９において送信した操作情報（履歴情報）を要求するものとして、以下説明する。
【００３２】
照明制御装置３０から履歴情報の要求を受け付けたクラウドサーバ７０は、要求に対応する履歴情報を抽出する（ステップＳ２２）。例えば、クラウドサーバ７０は、ステップＳ２０で保存した履歴情報を、照明制御装置３０からの要求に対応する履歴情報として抽出する。その後、クラウドサーバ７０は、ステップＳ２２において抽出した履歴情報を照明制御装置３０へ送信する（ステップＳ２３）。
【００３３】
クラウドサーバ７０から送信された履歴情報を照明制御装置３０が受信した後、操作者ＯＰ１は、照明制御装置３０において操作を再現する（ステップＳ２４）。なお、ここでいう、操作の再現とは、受信した履歴情報を参照しつつ操作者ＯＰ１が操作部３４を操作することにより行われてもよいし、受信した履歴情報に基づいて照明制御装置３０が自動で行ってもよい。例えば、照明制御装置３０は、図１中のステップＳ１４〜Ｓ１８において照明機器１０に行った調光制御を再現することができる。
【００３４】
図２の例で、照明制御装置３０は、履歴情報に基づいて、ノード２０を経由して制御情報を第１照明機器１０Ａへ送信する（ステップＳ２５）。例えば、照明制御装置３０は、図１中のステップＳ１４における制御情報と同様の制御情報を第１照明機器１０Ａへ送信する。ノード２０を経由して照明制御装置３０から制御情報を受信した第１照明機器１０Ａは、制御情報に従って、調光を制御する（ステップＳ２６）。例えば、第１照明機器１０Ａは、図１中のステップＳ１５において行った調光制御と同様の調光制御を行うことにより、明るさ、範囲、色彩等を変化させる。
【００３５】
また、照明制御装置３０は、履歴情報に基づいて、調光盤４０へ第２照明機器１０Ｂを制御するための制御信号を送信する（ステップＳ２７）。例えば、照明制御装置３０は、図１中のステップＳ１６における制御信号と同様の制御信号を調光盤４０へ送信する。照明制御装置３０から制御信号を受信した調光盤４０は、対応する第２照明機器１０Ｂへ電圧信号を送る（ステップＳ２８）。また、第２照明機器１０Ｂは、調光盤４０からの電圧信号により、調光を制御する（ステップＳ２９）。例えば、第２照明機器１０Ｂは、図１中のステップＳ１８において行った調光制御と同様の調光制御を行うことにより、明るさ、範囲、色彩等を変化させる。
【００３６】
このように、照明制御装置３０は、照明機器１０に行った調光制御に関する操作情報をクラウドサーバ７０に保存し、保存した履歴情報をクラウドサーバ７０から取得することにより、過去に行った調光制御を再現することができる。照明システム１は、操作者ＯＰ１の操作情報を保存することにより、照明システム１において不具合等が発生した場合に、保存した操作情報を用いることにより、故障解析が容易になる。このように、照明システム１は、照明制御装置３０における操作情報を適切に管理することができる。
【００３７】
例えば、舞台やスタジオでの照明制御においては、複数の操作者ＯＰ０１が同一の照明制御を行おうとしても、各操作者ＯＰ０１の熟練度によりそれぞれ異なる雰囲気になりうる。また、操作者ＯＰ０１によっては、舞台やスタジオの状態に応じて、シーンやキューとして設定された照明態様をその場で、すなわちアドリブで編集する場合も考えられる。このため、シーン、キュー、もしくはマスタフェーダの設定のみでは、照明態様を正確に再現することが困難となる。そこで、情報制御装置３０は、照明機器の制御内容と共に操作部３４の操作内容を履歴情報としてクラウドサーバ７０に保持させ、クラウドサーバ７０が保持した履歴情報を用いて照明機器の制御を行うことで、照明態様の正確な再現を実現することができる。
【００３８】
［照明制御装置の構成例］
次に、図３を用いて、実施形態に係る照明制御装置３０の構成について説明する。図３は、実施形態に係る照明制御装置の構成を示す図である。図３に示すように、照明制御装置３０は、通信部３１と、記憶部３２と、表示部３３と、操作部３４と、制御部３５とを有する。
【００３９】
通信部３１は、照明機器１０やノード２０や調光盤４０や監視装置５０等との間の通信を制御する機能を有し、例えば、ＮＩＣ等により実現される。
【００４０】
記憶部３２は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部３２は、図３に示すように、操作部情報記憶部３２−１と、調光情報記憶部３２−２とを有する。
【００４１】
操作部情報記憶部３２−１には、操作部３４が有する複数のフェーダ３４−１〜３４−３等と制御アドレス（対象アドレス）との対応が記憶される。ここで、制御アドレスについて説明する。照明機器１０には、１つまたは複数の制御アドレスが予め設定されており、その制御アドレスを用いた制御に従って、照度、照明する光の色彩、照明する向き等の制御対象を変更する。すなわち、照明機器１０には、制御対象のそれぞれに対して異なる制御アドレスが設定されており、自装置に設定された制御アドレスを示す制御信号を受信した場合は、その制御アドレスが示す制御対象を、受信した制御信号に従って制御態様を変更する。なお、照明機器１０の制御対象としては、赤、青、緑、シアン、白（R:Red,  G:Green,  B:Blue,  C:Cyan,  W:Whyte）といった照明する光の色彩や、照度（Intensity）、照明する位置や照明装置１０自体の位置を移動させる移動（Moving）等が採用される。各制御アドレスに対応するフェーダ３４−１〜３４−３等は、照明機器１０の制御対象に対応付けられる。
【００４２】
例えば、図４は、実施形態に係る操作部情報記憶部に記憶された情報の一例を示す図である。図４に示す例では、操作部情報記憶部３２−１には、各フェーダ３４−１〜３４−３を識別する操作部ＩＤと制御アドレスとが対応付けて登録されている。例えば、図４に示す例では、各操作部ＩＤ「３４−１」〜「３４−２」等に制御アドレス「ＡＤ１」〜「ＡＤ２」等が対応付けて登録されている。
【００４３】
なお、図４に示す例では、対応付けられた操作部ＩＤと制御アドレスとに異なる値が設定されていたが、実施形態はこれに限定されるものではない。例えば、１つの操作部ＩＤに対して複数の制御アドレスを対応付けることにより、複数の制御アドレスに対して共通の制御信号を与えてもよい。このような対応付けを行った場合は、例えば、一つのフェーダにより複数の照明機器１０を同時に制御することができる。
【００４４】
また、調光情報記憶部３２−２には、例えばシーンやキュー（ＣＵＥ）やサブマスタ（ＳＭ）等と称される調光情報が記憶される。例えば、図５は、実施形態に係る調光情報記憶部に記憶される情報の一例を示す図である。図５に示す例では、調光情報記憶部３２−２には、各調光情報を識別する調光ＩＤと対応する調光情報において制御される照明機器１０の制御対象に対応する制御アドレス等が記憶されている。なお、図５では、図示することは省略するが、調光情報には、照明機器１０の制御対象に対する具体的な制御内容を示す情報が含まれる。例えば、調光情報には、制御アドレス「ＡＤ１」に対応付けられた照明機器１０の制御対象を出力５０％にすることや、照明する光の色彩を示す色情報、色をどのように変化させること等、照明機器１０に対して設定する各種の情報が含まれる。
【００４５】
図３に戻り説明を続ける。表示部３３は、例えば、液晶モニタ等により実現され、各種情報を表示する。表示部３３は、後述する制御部３５による制御に従い、照明制御装置３０が収集した情報を表示する。
【００４６】
操作部３４は、各照明機器１０に対する操作を受付けるものである。例えば、複数のフェーダ３４−１〜３４−３等を有する。各フェーダ３４−１〜３４−３等は、例えば各照明機器１０の照度、色彩、照明する向き、動き等の操作を受付けるスライダである。なお、操作部３４はタッチパネル等を利用して構成することもできる。また、操作部３４は、各調光情報を対応付けるボタンやスイッチ等を有してもよい。
【００４７】
制御部３５は、各種の処理手順などを規定したプログラム及び所要データを記憶するための内部メモリを有し、これらによって種々の処理を実行するが、特に本発明に密接に関連するものとしては、受信部３５−１、送信部３５−２、及び操作制御部３５−３を有する。
【００４８】
受信部３５−１は、外部からの各種情報を受信する。例えば、受信部３５−１は、クラウドサーバ７０から履歴情報を受信する。また、例えば、受信部３５−１は、第１照明機器１０Ａから機器情報を受信してもよい。
【００４９】
送信部３５−２は、各種情報を送信する。例えば、送信部３５−２は、第１照明機器１０Ａに制御情報を送信する。また、例えば、送信部３５−２は、調光盤４０に制御信号を送信する。また、送信部３５−２は、クラウドサーバ７０へ操作情報を送信する。
【００５０】
操作制御部３５−３は、操作者ＯＰ１がフェーダ３４−１〜３４−３等を操作した場合、操作されたフェーダ３４−１〜３４−３等の操作部ＩＤと対応する制御アドレス（対象アドレス）を操作部情報記憶部３２−１から取得し、取得した制御アドレスを含む制御情報を出力することで、操作されたフェーダ３４−１〜３４−３等と対応する照明機器１０の制御を行う。
【００５１】
例えば、操作制御部３５−３は、フェーダＩＤ「３４−１」であるフェーダ３４−１を操作者ＯＰ１が操作した場合は、フェーダＩＤ「３４−１」と対応付けられた制御アドレス「ＡＤ１」に対応する照明機器１０の制御対象が操作される。
【００５２】
［クラウドサーバの構成例］
次に、図６を用いて、実施形態に係るクラウドサーバ７０の構成について説明する。図６は、実施形態に係るクラウドサーバの構成を示す図である。図６に示すように、クラウドサーバ７０は、通信部７１と、記憶部７２と、制御部７３とを有する。
【００５３】
通信部７１は、照明システム１における導入先の各装置（例えば照明制御装置３０や監視装置５０等）との間の通信を制御する機能を有し、例えば、ＮＩＣ等により実現される。
【００５４】
記憶部７２は、例えば、ＲＡＭ、フラッシュメモリ等の半導体メモリ素子、または、ハードディスク、光ディスク等の記憶装置によって実現される。実施形態に係る記憶部７２は、図６に示すように、操作履歴情報記憶部７２−１を有する。
【００５５】
操作履歴情報記憶部７２−１には、照明システム１の照明制御装置３０において行われた調光制御に関する操作情報が記憶される。
【００５６】
例えば、図７は、実施形態に係る操作履歴情報記憶部に記憶された情報の一例を示す図である。図７に示す例では、操作履歴情報記憶部７２−１には、履歴ＩＤと操作情報とが対応付けて登録されている。履歴ＩＤは、取得した操作情報を識別するための情報である。例えば、図７に示す例では、各履歴ＩＤ「ＬＧ１」〜「ＬＧ２」等の各々に操作情報が対応付けられて、履歴情報として登録されている。例えば、図７に示す例では、履歴情報には、操作対象や操作開始時刻等の情報が含まれる。
【００５７】
例えば、履歴ＩＤ「ＬＧ１」により識別される履歴情報には、操作開始時刻「Ｔ１」に調光情報「Ｍ１」による調光制御（例えば、図５に示した調光ＩＤ「Ｍ１」と対応する調光情報による制御）が開始されたことや、操作開始時刻「Ｔ２」に制御アドレス「ＡＤ１」に対応付けられた照明機器１０の制御対象に対する調光制御が開始されたことを示す履歴情報が含まれる。なお、図７では、図示することは省略するが、履歴情報には、照明制御装置３０から取得した情報であればどのような情報が含まれてもよい。例えば、履歴情報には、照明機器１０の制御対象に対する具体的な制御内容を示す情報が含まれる。例えば、履歴情報には、制御アドレス「ＡＤ１」に対応付けられた照明機器１０の制御対象を出力５０％にすることや、色を変化させること等を示す情報が含まれてもよい。
【００５８】
図６に戻り説明を続ける。制御部７３は、各種の処理手順などを規定したプログラム及び所要データを記憶するための内部メモリを有し、これらによって種々の処理を実行するが、特に本発明に密接に関連するものとしては、受信部７３−１、抽出部７３−２、及び送信部７３−３を有する。
【００５９】
受信部７３−１は、外部からの各種情報を受信する。例えば、受信部７３−１は、照明制御装置３０から操作情報を受信する。また、例えば、受信部７３−１は、受信した操作情報を操作履歴情報記憶部７２−１に記憶する。また、受信部７３−１は、照明制御装置３０から履歴情報の要求を受信する。
【００６０】
抽出部７３−２は、受信部７３−１が受信した要求に応じて、操作履歴情報記憶部７２−１から履歴情報を抽出する。例えば、抽出部７３−２は、要求に対応する履歴ＩＤに基づいて、操作履歴情報記憶部７２−１から履歴情報を抽出する。例えば、抽出部７３−２は、日付が指定された要求に応じて、対応する日付の操作開始時の操作が含まれる履歴情報を操作履歴情報記憶部７２−１から抽出する。
【００６１】
送信部７３−３は、各種情報を送信する。例えば、送信部７３−３は、抽出部７３−２により抽出された履歴情報を照明制御装置３０へ送信する。
【００６２】
［照明機器の調光の再現］
次に、照明機器の調光の再現の一例を示す図である。図８は、実施形態に係る照明機器の調光の再現の一例を示すシーケンス図である。
【００６３】
まず、照明制御装置３０において操作者ＯＰ１は、照明機器１０の調光を操作する（ステップＳ１０１）。例えば、操作者ＯＰ１は、照明制御装置３０における操作部３４のフェーダ３４−１〜３４−３等を操作することにより、照明機器１０の調光を制御する。
【００６４】
その後、照明制御装置３０は、操作情報をクラウドサーバ７０へ送信する（ステップＳ１０２）。例えば、照明制御装置３０は、操作者ＯＰ１による指示に応じて操作情報をクラウドサーバ７０へ送信する。
【００６５】
操作情報を受信したクラウドサーバ７０は、操作情報を履歴情報として保存する（ステップＳ１０３）。例えば、クラウドサーバ７０は、受信した操作情報を履歴情報として操作履歴情報記憶部７２−１に記憶する。
【００６６】
その後、照明制御装置３０は、情報の要求をクラウドサーバ７０へ送信する（ステップＳ１０４）。例えば、照明制御装置３０は、操作者ＯＰ１による指示に応じてクラウドサーバ７０へステップＳ１０２において送信した操作情報に対応する履歴情報の要求を送信する。
【００６７】
情報の要求を受信したクラウドサーバ７０は、要求に応じた履歴情報を抽出し、抽出した履歴情報を照明制御装置３０へ送信する（ステップＳ１０５）。例えば、クラウドサーバ７０は、ステップＳ１０３において保存した履歴情報を照明制御装置３０へ送信する。
【００６８】
履歴情報を受信した照明制御装置３０は、受信した履歴情報に基づいて照明機器１０の調光を再現する（ステップＳ１０６）。例えば、照明制御装置３０は、ステップＳ１０１において行われた調光制御を再現する。
【００６９】
［変形例］
なお、照明システムは、操作者を認証する機能を有してもよい。この点について、図９〜図１２を用いて説明する。なお、実施形態と同一部分には、同一符号を付して説明を省略する。具体的には、図９では、照明システム１Ａにおいて、所定の操作者ＯＰ１が照明制御装置３０Ａ−１において行った操作に関する操作情報を、他の照明制御装置３０Ａ−３において利用する例を示す。
【００７０】
［照明システムの構成］
照明システム１Ａは、複数の照明制御装置３０Ａ−１〜３０Ａ−３等とクラウドサーバ７０Ａとを具備する。以下では、照明制御装置３０Ａ−１〜３０Ａ−３等について、特に区別なく説明する場合には、照明制御装置３０Ａと記載する。なお、照明システム１Ａは、照明制御装置３０Ａに対応する照明機器やノード２０や調光盤４０や監視装置５０や端末装置６０等を具備するが、図示を省略する。
【００７１】
照明制御装置３０Ａは、操作者の認証を受け付ける。また、照明制御装置３０Ａは、各照明機器１０に対して制御を行う操作者による操作を受付ける。例えば、照明制御装置３０Ａは、調光卓と称される装置である。照明制御装置３０Ａは、操作者による操作等に応じて、各照明機器１０の調光等を制御する情報（信号）をノード２０や調光盤４０に送信する。
【００７２】
また、照明制御装置３０Ａ−１は、クラウドサーバ７０Ａと所定のネットワークＮＴ１１により双方向通信が可能である。また、照明制御装置３０Ａ−２は、クラウドサーバ７０Ａと所定のネットワークＮＴ１２により双方向通信が可能である。また、照明制御装置３０Ａ−３は、クラウドサーバ７０Ａと所定のネットワークＮＴ１３により双方向通信が可能である。例えば、ネットワークＮＴ１１〜ＮＴ１３は、専用通信回線や仮想プライベートネットワーク（Virtual  Private  Network）であってもよいし、インターネットであってもよい。また、各照明制御装置３０Ａは、同じ導入先において使用される照明制御装置３０Ａであってもよいし、異なる導入先において使用される照明制御装置３０Ａであってもよい。例えば、照明制御装置３０Ａ−１〜３０Ａ−３が同じ導入先において使用される場合、ネットワークＮＴ１１〜ＮＴ１３は共通のネットワークであってもよい。
【００７３】
クラウドサーバ７０Ａは、照明システム１Ａの導入先から遠隔にあるサービス提供者側の所定の地点に設けられる装置である。具体的には、クラウドサーバ７０Ａは、照明制御装置３０Ａにおける照明機器１０への操作に基づく操作情報を保存する外部サーバである。
【００７４】
［照明システムにおける処理例］
まず、操作者ＯＰ１は、照明制御装置３０Ａ−１において操作者に関する認証（以下、「操作者認証」とする場合がある）を受ける（ステップＳ３１）。これにより、照明制御装置３０Ａ−１は、入力される操作を操作者ＯＰ１の操作として受け付ける。なお、操作者認証は、例えば、パスワードを入力することにより行われてもよいし、指紋等の所定の生体情報に基づいて行われてもよい。
【００７５】
その後、照明制御装置３０Ａ−１は、操作者ＯＰ１が行った操作情報（以下、「操作情報ＬＧ１１」とする）をネットワークＮＴ１１を経由して、クラウドサーバ７０Ａへ送信する（ステップＳ３２）。このとき、照明制御装置３０Ａ−１は、操作情報ＬＧ１１に関する操作を行った操作者が操作者ＯＰ１であることを示す情報も送信する。
【００７６】
照明制御装置３０Ａ−１から操作情報を受信したクラウドサーバ７０Ａは、受信した操作情報を保存する（ステップＳ３３）。例えば、クラウドサーバ７０Ａは、操作情報ＬＧ１１を操作者ＯＰ１が行った操作に関する情報として保存する。これにより、照明システム１Ａは、クラウドサーバ７０Ａに保存された操作履歴情報（履歴情報）を操作者ＯＰ１が行った操作に関する情報として読み出し可能となる。
【００７７】
ここから、操作者ＯＰ１が照明制御装置３０Ａ−１から他の照明制御装置３０Ａへ移動した場合を例に以下説明する。操作者ＯＰ１は照明制御装置３０Ａ−１から照明制御装置３０Ａ−３へ移動する（ステップＳ３４）。
【００７８】
そして、操作者ＯＰ１は、照明制御装置３０Ａ−３において操作者認証を受ける（ステップＳ３５）。これにより、照明制御装置３０Ａ−３は、入力される操作を操作者ＯＰ１の操作として受け付ける。
【００７９】
その後、照明制御装置３０Ａ−３は、ネットワークＮＴ１３を経由して、操作者ＯＰ１が行った操作に関する操作情報（履歴情報）を要求する（ステップＳ３６）。図９では、照明制御装置３０Ａ−３は、操作者ＯＰ１が照明制御装置３０Ａ−１において行った操作に関する操作情報ＬＧ１１を要求する。例えば、照明制御装置３０Ａ−３は、操作者ＯＰ１による指示に応じて、操作者ＯＰ１が行った操作に関する操作情報（履歴情報）を要求する。
【００８０】
照明制御装置３０Ａ−３から操作情報（履歴情報）の要求を受け付けたクラウドサーバ７０Ａは、要求に対応する操作情報（履歴情報）を抽出する（ステップＳ３７）。例えば、クラウドサーバ７０Ａは、ステップＳ３３で保存した操作情報ＬＧ１１を、照明制御装置３０Ａ−３からの要求に対応する操作情報（履歴情報）として抽出する。その後、クラウドサーバ７０Ａは、ステップＳ３７において抽出した履歴情報を照明制御装置３０Ａ−３へ送信する（ステップＳ３８）。
【００８１】
クラウドサーバ７０Ａから送信された操作情報ＬＧ１１を照明制御装置３０Ａ−３が受信した後、操作者ＯＰ１は、照明制御装置３０Ａ−３において操作を再現する（ステップＳ３９）。
【００８２】
このように、照明システム１Ａにおいては、各照明制御装置３０Ａは、操作者の認証機能を有する。これにより、各照明制御装置３０Ａは、操作を行った操作者を判別可能となる。また、各照明制御装置３０Ａは、操作者ＯＰ１が照明機器１０に行った調光制御に関する操作情報を操作者ＯＰ１と対応付けてクラウドサーバ７０Ａに保存する。これにより、照明システム１Ａにおける操作者ＯＰ１は、使用する照明制御装置３０Ａにおいてクラウドサーバ７０から操作情報（履歴情報）を取得することにより、他の照明制御装置３０Ａにおいて過去に行った調光制御を再現することができる。
【００８３】
なお、照明システム１Ａは、操作者ＯＰ０１が照明制御装置３０Ａ−１に対して行った各種の設定を履歴情報としてクラウドサーバ７０Ａに保持させてもよい。例えば、照明システム１Ａは、操作者ＯＰ０１がどのフェーダにどのＤＭＸアドレスを対応付けたか、どのフェーダにどの照明機器を対応付けたか、どのマスタフェーダにどの照明機器を対応付けたか、どのようなキュー又はシーンを設定したか等をクラウドサーバ７０Ａに保持させてもよい。このような情報をクラウドサーバ７０Ａに保持させた場合、照明システム１Ａは、照明制御装置３０Ａ−１と同様の設定内容を照明制御装置３０Ａ−３に履歴情報として送信し、照明制御装置３０Ａ−３に設定を反映させる。この結果、操作者ＯＰ０１は、移動先となるスタジオや舞台で設定を再度行わずとも、移動元となるスタジオや舞台と同様の操作により、照明態様を再現することができる。
【００８４】
また、照明システム１Ａは、操作情報と操作を行った操作者とを対応付けて保存することにより、照明システム１Ａにおいて不具合等が発生した場合に、どの操作者の操作が不具合等の原因かの判別が容易になる。すなわち、照明システム１Ａは、照明制御装置３０における操作情報を適切に管理することができる。なお、操作者と対応付けてクラウドサーバ７０Ａに保存する情報は、操作情報に限らず、目的に応じて種々の情報であってもよい。例えば、操作者と対応付けてクラウドサーバ７０Ａに保存する情報は、フェーダ３４−１〜３４−３等への制御アドレスの割当て等の情報であってもよい。
【００８５】
また、クラウドサーバ７０Ａは、操作情報と操作を行った操作者とを対応付けに基づいて、認証後のユーザに操作情報に基づいてユーザの操作に関する学習を行ってもよい。例えば、クラウドサーバ７０Ａは、認証後のユーザに操作情報に基づいて、ユーザの操作に適した操作部３４への制御アドレス等の割当に関する学習を行ってもよい。また、各照明制御装置３０Ａは、クラウドサーバ７０Ａから認証後のユーザに対応する学習結果に関する情報を取得してもよい。これにより、各照明制御装置３０Ａは、クラウドサーバ７０Ａにおける学習結果に基づいて、ユーザに適した設定を行うことが可能となる。
【００８６】
［照明制御装置の構成例］
次に、図１０を用いて、変形例に係る照明制御装置３０Ａの構成について説明する。図１０は、変形例に係る照明制御装置の構成を示す図である。図１０に示すように、照明制御装置３０Ａは、通信部３１と、記憶部３２と、表示部３３と、操作部３４と、制御部３５とを有する。変形例に係る照明制御装置３０Ａは、制御部３５に認証部３５−４を有する点において、照明制御装置３０と相違する。
【００８７】
認証部３５−３は、照明制御装置３０Ａを利用する操作者を認証する。例えば、認証部３５−３は、パスワードや指紋等の所定の生体情報により照明制御装置３０Ａを利用する操作者を認証する。例えば、認証部３５−３がパスワードにより操作者を認証する場合、照明制御装置３０Ａは、記憶部３２に各操作者に対応するパスワードを記憶してもよい。なお、照明システム１Ａが、ネットワークＮＴ１１〜ＮＴ１３等を経由してクラウドサーバ７０Ａにおいて操作者の認証を行う場合、照明制御装置３０Ａは、認証部３５−３を有しなくてもよい。
【００８８】
［クラウドサーバの構成例］
次に、図１１を用いて、変形例に係るクラウドサーバ７０Ａの構成について説明する。図１１は、変形例に係るクラウドサーバの構成を示す図である。図１１に示すように、クラウドサーバ７０Ａは、通信部７１と、記憶部７２と、制御部７３とを有する。変形例に係るクラウドサーバ７０Ａは、記憶部７２の操作履歴情報記憶部７２−１Ａに操作者に関する情報を記憶する点において、クラウドサーバ７０と相違する。
【００８９】
変形例に係る記憶部７２は、操作履歴情報記憶部７２−１Ａを有する。操作履歴情報記憶部７２−１Ａには、照明システム１Ａの照明制御装置３０Ａにおいて行われた調光制御に関する操作情報がその操作を行った操作者と対応付けて記憶される。
【００９０】
例えば、図１２は、変形例に係る操作履歴情報記憶部に記憶された情報の一例を示す図である。図１２に示す例では、操作履歴情報記憶部７２−１Ａには、履歴ＩＤと操作情報とが対応付けて登録されている。履歴ＩＤは、取得した操作情報を識別するための情報である。例えば、図１２に示す例では、各履歴ＩＤ「ＬＧ１１」〜「ＬＧ１２」等の各々に操作情報が対応付けられて、履歴情報として登録されている。例えば、図１２に示す例では、履歴情報には、操作対象や操作開始時刻等の情報が含まれる。例えば、履歴ＩＤ「ＬＧ１１」により識別される履歴情報に関する操作は、操作者ＩＤ「ＯＰ１」により識別される操作者により行われたことを示す。このように、操作履歴情報記憶部７２−１Ａには、履歴情報が対応する操作を行った操作者に対応付けて記憶される。
【００９１】
本発明の実施形態及び変形例を説明したが、これらの実施形態及び変形例は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態や変形例は、発明の範囲や要旨に含まれると同様に、特許請求の範囲に記載された発明とその均等の範囲に含まれるものである。また、この実施形態や変形例は、処理内容を矛盾させない範囲で適宜組み合わせることが可能である。
【符号の説明】
【００９２】
１        照明システム
１０Ａ    第１照明機器
１０Ｂ    第２照明機器
２０      ノード
３０      照明制御装置
４０      調光盤
５０      監視装置
６０      端末装置
７０      クラウドサーバ（外部サーバ）
８０Ａ    管理端末
８０Ｂ    携帯端末
【図１】
0006651755.tif 000002
【図２】
0006651755.tif 000003
【図３】
0006651755.tif 000004
【図４】
0006651755.tif 000005
【図５】
0006651755.tif 000006
【図６】
0006651755.tif 000007
【図７】
0006651755.tif 000008
【図８】
0006651755.tif 000009
【図９】
0006651755.tif 000010
【図１０】
0006651755.tif 000011
【図１１】
0006651755.tif 000012
【図１２】
0006651755.tif 000013